(57)【要約】      （修正有）【課題】本発明は、不使用時の省スペース化を図りつつ使用時における歯科診療の利便性の向上と安全性確保を実現する収納式歯科診療ユニットを提供する。【解決手段】本発明は、床面３上に起立設置され、少なくとも歯科診療椅子を含む歯科診療ユニット２１を内部に閉塞状態で、かつ、歯科診療ユニットの前方領域を閉塞解除可能な状態で収納可能な収納体４と、床面３に対して収納体４内からその前方に至る範囲に設置する直動レール３１と、歯科診療ユニット２１を搭載した回転ベースと、回転ベースを回転機構部を介して回転可能に支持する台車ベースと、台車ベースに配置され直動レール３１上を走行する走行ローラ機構部とを有し、収納体４の前方を閉塞解除状態としたとき、歯科診療ユニット２１を搭載した回転ベースを支持する台車ベースを収納体４内とその前方とにわたって直動可能に構成する【選択図】図２
2018114011.tif 000002
【特許請求の範囲】
【請求項１】
床面上に起立設置され、歯科診療椅子、ドクターテーブル、ドクターカート、アシスタントハンガ、スピットン、診療用無影灯それぞれの単体、又は、前記各単体のいずれかの組み合わせにて構成される歯科診療ユニットを内部に閉塞状態で、かつ、前記歯科診療ユニットを閉塞解除可能な状態で収納可能な収納体と、
前記床面に対して前記収納体内から収納体前方に至る範囲に設置する直動機構と、
前記歯科診療ユニットを搭載した回転ベースと、前記回転ベースを回転機構部を介して回転可能に支持する台車ベースと、前記台車ベースに配置され前記直動機構上を走行する走行ローラ機構部とを有し、
前記歯科診療ユニットを閉塞解除状態としたとき、前記歯科診療ユニットを搭載した回転ベースを支持する台車ベースを前記収納体内と収納体前方とにわたって直動可能に構成したことを特徴とする収納式歯科診療ユニット。
【請求項２】
前記直動機構は、走行ローラ機構部における歯科診療ユニットの転倒を防止する転倒防止機構をさらに備えることを特徴とする請求項１記載の収納式歯科診療ユニット。
【請求項３】
少なくとも診療位置又は収納位置にて回転ベースの回転及び台車ベースの直動を防止する直動・回転防止ストッパー機構部をさらに備えることを特徴とする請求項１又は２記載の収納式歯科診療ユニット。
【請求項４】
前記回転ベースに設けられ、固定ペダルを踏むことでシャフトが下がり、踏み込み力に応じたシャフト移動による台車ベース穴とのシャフト係合により回転ベースの回転を防止し、台車ベース穴を貫通したシャフト先端の床面穴とのシャフト係合により、前記回転ベースの回転と前記台車ベースの直動を防止する直動・回転防止ストッパー機構部を備えることを特徴とする請求項１又は２記載の収納式歯科診療ユニット。
【請求項５】
前記回転ベースに設けられ、固定ペダルを踏むことでシャフトが下がり、踏み込み力に応じたシャフト移動による台車ベース穴とのシャフト係合により回転ベースの回転を防止し、台車ベース穴を貫通したシャフト先端の床面との摩擦接触により前記回転ベースの回転と前記台車ベースの直動を防止する直動・回転防止ストッパー機構部を備えることを特徴とする請求項１又は２記載の収納式歯科診療ユニット。
【請求項６】
前記台車ベースの直動方向への移動時に、回転ベースの回転に連動して下方変位する押圧体を床面に摩擦接触させて台車ベースの直動を停止させる直動防止ストッパー機構部をさらに備えることを特徴とする請求項１乃至５のいずれかに記載の収納式歯科診療ユニット。
【請求項７】
前記直動防止ストッパー機構部は、前記台車ベースの一方の辺部の隅においてこの台車ベースに固定された円筒状の支持ベースと、
前記支持ベース内に上下動可能に嵌装されるとともに、上部に設けた円錐台状の受圧部を支持ベース内に設けた第１弾性体により上方に付勢しつつ前記回転ベースに設けたプランジャー受穴内に臨ませ、下部の円柱部を前記支持ベース内で下方に臨ませたプランジャーと、
前記支持ベースの下部において、常時においては下面側を床面との間に空間を有しつつ配置する円板状の押圧体と、
前記支持ベース内に上下動可能に嵌装されるとともに、上部側が前記円柱部の外周部に嵌着され、下端部を前記押圧体の中央部に固着した有底円筒状のプランジャーガイド筒と、
前記プランジャーガイド筒内において前記円柱部の下面と、このプランジャーガイド筒の内底部との間に配置したコイルバネ状の第２弾性体と、
を有することを特徴とする請求項６に記載の収納式歯科診療ユニット。
【請求項８】
前記直動レールは、床に設置し、その上面を床面と略同一面にするとともに、前記直動レールは、前記台車ベースの下部に配置され、台車ベースにより回転可能に支持した走行ローラを走行させる走行レールと、この走行レールに並設した真っすぐな直動ガイド凹溝を具備する直動ガイドレールと、を具備し、前記直動ガイドレールに設けた直動ガイド凹溝にガイドされて直動可能なキャリッジを前記走行ローラの近傍位置でキャリッジ連結部材を介して前記台車ベースに連結して、前記台車ベースの移動時に前記走行ローラを走行レール上で直動ガイドするように構成したことを特徴とする請求項１に記載の収納式歯科診療ユニット。
【請求項９】
前記収納体を、その下面を前記直動レールの端部に対向させて床面から起立設置したことを特徴とする請求項１記載の収納式歯科診療ユニット。
【請求項１０】
前記収納体は、歯科診療椅子、ドクターカート、アシスタントハンガ、スピットン、診療用無影灯それぞれの単体、又は、前記各単体のいずれかの組み合わせにて構成される歯科診療ユニットを収納しかつ所要の単体、又は、各単体のいずれかの組み合わせを前方に移送できるように、その前面下部に左右の少なくとも一辺側を回動支持部として回動し収納領域の前面下部側を開閉可能な開閉扉を設け、前記収納体の天板に収納時における収納領域の上部を覆うとともに、上方に開いて収納領域の上部を開放する上部蓋を回動可能に設け、前記開閉扉の上辺に、収納時に前記開閉扉の上辺と前記上部蓋の下辺との間に生じる隙間を閉塞可能な閉塞蓋を回動可能に設け、収納時において下部側の奥行寸法が上部側の奥行寸法より大きく前面側に前記閉塞蓋による段部が形成される中空箱型状に構成したことを特徴とする請求項１又は９記載の収納式歯科診療ユニット。
【請求項１１】
前記歯科診療ユニットが診療位置に配置されたとき前記歯科診療ユニットを構成する単体、又は、前記各単体のいずれかの組み合わせからなる要素が作動可能になることを特徴とする請求項１記載の収納式歯科診療ユニット。
【請求項１２】
床面上に起立設置され、歯科診療椅子、ドクターテーブル、ドクターカート、アシスタントハンガ、スピットン、診療用無影灯それぞれの単体、又は、前記各単体のいずれかの組み合わせにて構成される歯科診療ユニットを内部に閉塞状態で、かつ、前記歯科診療ユニットを閉塞解除可能な状態で収納可能な収納体と、前記床面に対して前記収納体内から収納体前方に至る範囲に設置する直動機構と、前記歯科診療ユニットを搭載した回転ベースと、前記回転ベースを回転機構部を介して回転可能に支持する台車ベースと、前記台車ベースに配置され前記直動機構上を走行する走行ローラ機構部とを有し、前記歯科診療ユニットを閉塞解除状態としたとき、前記歯科診療ユニットを搭載した回転ベースを支持する台車ベースを前記収納体内と収納体前方とにわたって直動可能に構成した収納式歯科診療ユニットの設置方法であって、
前記床に設置する直動機構を構成する直動ガイドレールを床のトリマー加工による溝加工により施工することを特徴とする収納式歯科診療ユニットの設置方法。
【発明の詳細な説明】
【技術分野】
【０００１】
本発明は、収納式歯科診療ユニット及びその設置方法に関し、詳しくは、不使用時の省スペース化と使用時における歯科診療の利便性の向上と安全性確保を実現する収納式歯科診療ユニット、及び、低廉な施工コストによる収納式歯科診療ユニットの設置方法に関するものである。
【背景技術】
【０００２】
従来の歯科診療室では歯科診療ユニットが室内定位置に固定されていて移動できないために室内空間が歯科診療目的に限定されてしまうことから、最近では歯科診療ユニットを移動、収納式として、歯科診療ユニットの不使用時におけるスペースを確保し、歯科診療室内の限られた室内空間の多目的な有効活用を図る技術が提案されている。
【０００３】
例えば、特許文献１には、少なくとも歯科診療椅子を含み、ドクターテーブル、ドクターカート、アシスタントハンガ、スピットンそれぞれの単体、あるいは前記単体の何れかの組み合わせにて構成される歯科診療ユニットを歯科診療ユニットごと診療のために任意の位置に移動するアーム式の移動手段と、診療後に前記歯科診療ユニットを歯科診療ユニットごと移動して収納する収納手段とを有し、歯科診療ユニットを移動することにより多目的空間を形成する構成のフレキシブル歯科診療ユニットが開示されている。
【０００４】
しかし、特許文献１のフレキシブル歯科診療ユニットの場合、歯科診療ユニットの移動手段を直動あるいは回転のどちらか片方のみとした自由度としたものであり、また、移動前及び移動後の固定位置が決まっており、実際の診療での使用時に歯科診療椅子の固定位置・向きを変更することができず、歯科診療の利便性が必ずしも良好ではない。
【０００５】
また、特許文献２には、歯科診療椅子、ドクターテーブル、ドクターカート、アシスタントハンガ、スピットン、診療用無影灯それぞれの単体、あるいは前記単体の何れかの組み合わせにて構成される歯科診療ユニットを、診療のために任意の位置に移動する移動手段と、診療後に前記歯科診療ユニットを移動して収納する収納手段とを有し、前記歯科診療ユニットを移動することにより多目的空間を形成する歯科診療ユニットにおいて、前記歯科診療ユニットをターンテーブル式の回転手段に搭載して該回転手段を回転することにより、診療時には収納キャビネットに収納された歯科診療ユニットを診療位置に移動し、診療終了時には歯科診療ユニットを収納キャビネット内に移動し収納して、診療室内に多目的空間を形成する構成の回転収納式歯科診療ユニットが開示されている。
【０００６】
しかし、特許文献２の回転収納式歯科診療ユニットの場合、ターンテーブル式の回転手段を採用したものであり、その施工が煩雑で施工コストの増大を招いてしまうという問題を包含している。
【先行技術文献】
【特許文献】
【０００７】
【特許文献１】特許第５２２０２９４号公報
【特許文献２】特開２００９−６６３１９号公報
【発明の概要】
【発明が解決しようとする課題】
【０００８】
本発明は、上記事情に鑑みてなされたものであり、不使用時の省スペース化を図りつつ使用時における歯科診療の利便性の向上と安全性確保を実現することができる収納式歯科診療ユニットを提供し、また、かかる収納式歯科診療ユニットを低廉な施工コストの基に歯科診療室の床に設置できる収納式歯科診療ユニットの設置方法を提供するものである。
【課題を解決するための手段】
【０００９】
本発明に係る収納式歯科診療ユニットは、床面上に起立設置され、歯科診療椅子、ドクターテーブル、ドクターカート、アシスタントハンガ、スピットン、診療用無影灯それぞれの単体、又は、前記各単体のいずれかの組み合わせにて構成される歯科診療ユニットを内部に閉塞状態で、かつ、前記歯科診療ユニットを閉塞解除可能な状態で収納可能な収納体と、  前記床面に対して前記収納体内から収納体前方に至る範囲に設置する直動機構と、前記歯科診療ユニットを搭載した回転ベースと、前記回転ベースを回転機構部を介して回転可能に支持する台車ベースと、前記台車ベースに配置され前記直動機構上を走行する走行ローラ機構部とを有し、前記歯科診療ユニットを閉塞解除状態としたとき、前記歯科診療ユニットを搭載した回転ベースを支持する台車ベースを前記収納体内と収納体前方とにわたって直動可能に構成したことを最も主要な特徴とする。
【発明の効果】
【００１０】
請求項１、２記載の発明によれば、不使用時においては、歯科診療椅子を含む歯科診療ユニットを収納体内に収納して不使用時の省スペース化を図ることができ、また、使用時においては歯科診療椅子を含む歯科診療ユニットの単体、又は、前記各単体のいずれかの組み合わせを各々簡略容易に所定の位置に配置することができて使用時における歯科診療の利便性の向上を実現でき、さらに、歯科診療ユニットの転倒防止を図ることもできる収納式歯科診療ユニットを提供することができる。
【００１１】
請求項３乃至５記載の発明によれば、簡略操作の基に所望の位置において回転ベースの回転を確実に防止したり、回転ベースの回転と台車ベースの直動とを同時に確実に防止したりすることができ、安心して診療を行ったり、安定した状態で歯科診療ユニットを収納保管できる直動・回転防止ストッパー機構部を備える収納式歯科診療ユニットを提供することができる。
【００１２】
請求項６、７記載の発明によれば、簡略安価な構造の基に、回転ベースの回転操作に連動させて押圧体を床面に押圧接触させて台車ベースの直動を停止させることができ、歯科診療ユニットを押しながら直動させる場合に、誤って歯科診療ユニットが回転してしまい操作者が振り回されたり、周囲の装置等にぶつかったりするという  不都合、かつ、危険な事態発生を未然に回避することができる直動防止ストッパー機構部を備える収納式歯科診療ユニットを提供することができる。
【００１３】
請求項８記載の発明によれば、歯科診療ユニットを安定してかつ真っすぐに直動させることが可能な直動レールを備えた収納式歯科診療ユニットを提供することができる。
【００１４】
請求項９、１０記載の発明によれば、歯科診療椅子を含む歯科診療ユニットを省スペースの態様で収納可能であり、かつ、歯科診療ユニットを直動レール上で容易に前方に移送したり、所要の単体等を所定の位置に展開したりすることができ、不使用時の省スペース化を図りつつ使用時における歯科診療の利便性の向上を実現することができる収納体を備える収納式歯科診療ユニットを提供することができる。
【００１５】
請求項１１記載の発明によれば、歯科診療ユニットを診療位置としたときのみ、歯科診療ユニットを構成する要素を作動可能とし、それ以外では作動停止とするように構成しているので、歯科診療における安全性確保を実現することができる収納式歯科診療ユニットを提供することができる。
【００１６】
請求項１２記載の発明によれば、床に設置する直動レールを構成する直動ガイドレールを床のトリマー加工による溝加工により施工するものであるから、低廉な施工コストの基に直動レールを床面に敷設することができる収納式歯科診療ユニットの設置方法を提供することができる。
【図面の簡単な説明】
【００１７】
【図１】図１は本発明の実施例に係る収納式歯科診療ユニットにおいて収納体内に歯科診療椅子を含む歯科診療ユニットを収納した状態を示す概略斜視図である。
【図２】図２は本実施例に係る収納式歯科診療ユニットにおいて収納体の前方を閉塞解除状態とし態様を示す概略斜視図である。
【図３】図３は本実施例に係る収納式歯科診療ユニットにおいて収納体の前方を閉塞解除状態とし、歯科診療ユニットを直動させ回転させた態様を示す概略斜視図である。
【図４】図４は本実施例に係る収納式歯科診療ユニットにおいて歯科診療ユニットを図３に示す状態から診療位置に変化させた態様を示す概略斜視図である。
【図５】図５は本実施例に係る収納式歯科診療ユニットにおいて歯科診療ユニットを図３に示す状態からカウンセリング位置に回転させた態様を示す概略斜視図である。
【図６】図６は本実施例に係る収納式歯科診療ユニットにおける床面に対する回転ベース、台車ベース、直動レール、走行ローラ機構部、及び、回転・直動防止ストッパー機構部の設置状態を示す概略斜視図である。
【図７】図７は本実施例に係る収納式歯科診療ユニットにおける床面に対する回転ベース、台車ベース、直動レール、走行ローラ機構部、及び、回転・直動防止ストッパー機構部並びに直動防止ストッパー機構部の設置状態を示す概略斜視図である。
【図８】図８は本実施例に係る収納式歯科診療ユニットにおける台車ベース、直動レール、走行ローラ機構部を示す概略斜視図である。
【図９】図９は本実施例に係る収納式歯科診療ユニットにおける直動機構を構成するキャリッジの概略斜視図である。
【図１０】図１０は本実施例に係る収納式歯科診療ユニットにおける直動機構を構成する直動ガイドレールの概略斜視図である。
【図１１】図１１は本実施例に係る収納式歯科診療ユニットにおける台車ベース、直動機構を構成する直動ガイドレール、キャリッジ、キャリッジ連結部材の概略斜視図である。
【図１２】図１２は本実施例に係る収納式歯科診療ユニットにおける台車ベース、直動機構を構成する直動ガイドレール、キャリッジ、キャリッジ連結部材の概略断面図である。
【図１３】図１３は本実施例に係る収納式歯科診療ユニットにおける台車ベース、走行ローラ機構部、直動ガイドレールの他例である直動機構部を示す概略斜視図である。
【図１４】図１４は本実施例に係る収納式歯科診療ユニットにおける台車ベース、直動ガイドレールの他例である直動機構部を示す概略断面図である。
【図１５】図１５は本実施例の収納式歯科診療ユニットにおける別の例である台車ベース、直動ガイドレール、走行ローラ機構部を示す概略斜視図である。
【図１６】図１６は別の例に係るキャリッジを示す概略斜視図である。
【図１７】図１７は別の例に係るリニアスライドレールを示す概略斜視図である。
【図１８】図１８は本実施例に係る収納式歯科診療ユニットにおける別の例である台車ベース、直動ガイドレール、キャリッジを示す概略斜視図である。
【図１９】図１９は本実施例に係る収納式歯科診療ユニットにおける直動・回転防止ストッパー機構部を示す概略断面図（図６のＡ−Ａ線断面図）である。
【図２０】図２０は本実施例に係る収納式歯科診療ユニットにおける直動防止ストッパー機構部の支持ベース、プランジャー、押圧体を示す概略斜視図である。
【図２１】図２１は本実施例に係る収納式歯科診療ユニットにおける直動防止ストッパー機構部の支持ベース、プランジャー、押圧体を示す概略正面図である。
【図２２】図２２は本実施例に係る収納式歯科診療ユニットにおける直動防止ストッパー機構部の概略平面図である。
【図２３】図２３は図２１のＢ−Ｂ線断面図である。
【図２４】図２４は本実施例に係る収納式歯科診療ユニットにおける直動防止ストッパー機構部における台車ベースの直動防止解除状態の部分拡大断面図である。
【図２５】図２５は本実施例に係る収納式歯科診療ユニットにおける直動防止ストッパー機構部における台車ベースの直動防止状態の部分拡大断面図である。
【図２６】図２６は本実施例に係る収納式歯科診療ユニットにおける歯科診療ユニットの収納位置の状態示す概略拡大斜視図である。
【図２７】図２７は本実施例に係る収納式歯科診療ユニットにおける歯科診療ユニットの直動位置の状態を示す概略拡大斜視図である。
【図２８】図２８は本実施例に係る収納式歯科診療ユニットにおける歯科診療ユニットの直動位置での回転状態を示す概略拡大斜視図である。
【図２９】図２９は本実施例に係る収納式歯科診療ユニットにおける床に対する敷設溝の加工工程を示す概略斜視図である。
【図３０】図３０は本実施例に係る収納式歯科診療ユニットにおける床に形成した二条の敷設溝を示す概略斜視図である。
【図３１】図３１は本実施例に係る収納式歯科診療ユニットにおける床に形成した二条の敷設溝に直動ガイドレールを配置した状態を示す概略斜視図である。
【図３２】図３２は本実施例に係る収納式歯科診療ユニットにおける床に対する直動レールの施工完了状態を示す概略斜視図である。
【発明を実施するための形態】
【００１８】
本発明は、不使用時の省スペース化を図りつつ使用時における歯科診療の利便性の向上と安全性確保を実現することができる収納式歯科診療ユニットを提供するという目的を、床面上に起立設置され、歯科診療椅子、ドクターテーブル、ドクターカート、アシスタントハンガ、スピットン、診療用無影灯それぞれの単体、又は、前記各単体のいずれかの組み合わせにて構成される歯科診療ユニットを内部に閉塞状態で、かつ、前記歯科診療ユニットを閉塞解除可能な状態で収納可能な収納体と、  前記床面に対して前記収納体内から収納体前方に至る範囲に設置する直動機構と、前記歯科診療ユニットを搭載した回転ベースと、前記回転ベースを回転機構部を介して回転可能に支持する台車ベースと、前記台車ベースに配置され前記直動機構上を走行する走行ローラ機構部とを有し、前記歯科診療ユニットを閉塞解除状態としたとき、前記歯科診療ユニットを搭載した回転ベースを支持する台車ベースを前記収納体内と収納体前方とにわたって直動可能に構成するとともに、少なくとも診療位置又は収納位置にて回転ベースの回転及び台車ベースの直動を防止する直動・回転防止ストッパー機構部、及び、前記台車ベースの直動方向への移動時に、回転ベースの回転に連動して前記台車ベースの直動を停止させる直動防止ストッパー機構部を備える構成により実現した。
【実施例】
【００１９】
以下に図面を参照して、本発明の実施例に係る収納式歯科診療ユニット及びその設置方法について詳細に説明する。
【００２０】
本実施例に係る収納式歯科診療ユニット１は、図１、図２及び図６、図７に示すように、例えば歯科医院等の診療室における床２の床面３上に起立設置され、少なくとも歯科診療椅子を含む歯科診療ユニット２１を内部に閉塞状態で、かつ、前記歯科診療ユニット２１の前方領域を閉塞解除可能な状態で収納可能なキャビネット構造とした収納体４と、前記床面３に対して前記収納体４内から収納体４前方に至る範囲に設置する直動機構を構成する例えば二本一対で平行配置した構成の直動レール３１と、前記歯科診療ユニット２１を搭載した例えば四角形平板状に形成した回転ベース４１と、前記回転ベース４１を回転機構部４２を介して回転可能に支持する四角形平板状で前記回転ベース４１より大寸法の台車ベース５１と、前記台車ベース５１に配置され前記直動レール３１上を走行する走行ローラ機構部６１とを有している。
【００２１】
前記収納体４は、収納時において下部側の奥行寸法が上部側の奥行寸法より大きい収納体本体５を有し、この収納体本体５内に詳細は後述するが歯科診療ユニット２１の要素を収納し、かつ、所要の要素を前方に移送できるように、その前面下部に左右の少なくとも一辺側、例えば図２に示すように紙面に向かって左側の左辺側を回動支持部として回動し、内部の収納領域の前面下部側を開閉可能な床面走行用のローラキャスタ７付きの開閉扉６を設け、前記収納体本体５の天板に収納時における収納領域の上部を覆うとともに、上方に開いて収納領域の上部を開放する上部蓋８を回動可能に設け、前記開閉扉６の上辺に、収納時において前記開閉扉６の上辺と前記上部蓋８の下辺との間に生じる隙間を閉塞可能な閉塞蓋９を回動可能に設けている。
【００２２】
そして、前記収納体４全体としては、歯科診療ユニット２１の収納時において前面側に前記閉塞蓋９による段部が形成される中空箱型状を呈するように構成している。
【００２３】
本実施例における歯科診療ユニット２１としては、歯科診療椅子の単体で構成する例を挙げて説明する。
本実施例の場合、ドクターカート１５、診療用無影灯１１、スピットン１３及びアシスタントハンガ１４は、歯科診療ユニット２１に含まずに構成し、床面３上にキャスタを付けて置いたり、前記開閉扉６に取り付けてあるが、これらを歯科診療椅子と共に組み合わせて構成して歯科診療ユニット２１としてもよいし、これら単体を歯科診療ユニット２１としてもよいし、歯科診療椅子を含まない各単体のいずれかの組み合わせにて歯科診療ユニット２１として構成してもよい。
なお、歯科診療椅子には、有線又は無線にて接続され足踏み操作により各種の動作コントロールが可能なフットコントローラ２２が付属している。
またドクターカート１５に替えてドクターテーブルにしてもよく、ドクターテーブルを歯科診療椅子に組み合わせて構成してもよい。
【００２４】
これらのうち、本実施例に係る収納式歯科診療ユニット１による診療時等においては、前記歯科診療ユニット２１を前記直動レール３１上で収納体本体５を収納位置から診療位置へ直動させるとともに、前記フットコントローラ２２、ドクターカート１５、ドクターチェア１６を収納位置から手動操作にて前記歯科診療ユニット２１の周辺位置へと移送するように構成している。
【００２５】
本実施例に係る収納式歯科診療ユニット１は、さらに図７に示すように、少なくとも診療位置又は収納位置にて前記回転ベース４１の回転及び前記台車ベース５１の直動を防止する直動・回転防止ストッパー機構部７１と、前記台車ベース５１の直動方向への移動時に、前記回転ベース４１の回転に連動して下方変位する押圧体８２を床面３に摩擦接触させて台車ベース５１の直動を停止させる直動防止ストッパー機構部８１とを備えている。
【００２６】
次に、前記直動機構を構成する直動レール３１、回転機構部４２、走行ローラ機構部６１、直動・回転防止ストッパー機構部７１、直動防止ストッパー機構部８１について各々詳述する。
【００２７】
まず、前記直動機構を構成する直動レール３１、走行ローラ機構部６１について図８乃至図１２を参照して詳細に説明する。
【００２８】
前記走行ローラ機構部６１は、図８に示すように、台車ベース５１の隅部において、
支持ネジ６２ａによりこの台車ベース５１に固定支持した支持軸６２を介して回転可能に支持した走行ローラ６３を備え、かつ、この走行ローラ６３を走行レール３２上で走行させるように構成している。
【００２９】
前記直動機構を構成する直動レール３１は、その上面を前記床面３と略同一面になるように設置されるとともに、図１、図６、図７に示すように、前記台車ベース５１の下部に例えば二本一対で平行配置されるとともに、前記床面３に対して前記収納体４内から収納体４の前方に至る範囲に配置している。
【００３０】
前記直動レール３１は、床面３上に設置する走行レール３２と、前記走行レール３２に沿って、かつ、床２に埋設状態で並設する直動ガイドレール３３と、前記直動ガイドレール３３に設けた直動ガイド凹溝３４にガイドされてまっすぐに直動可能なキャリッジ６４と、前記キャリッジ６４を前記走行ローラ６３の近傍位置で前記台車ベース５１に連結するキャリッジ連結部材６５と、を具備している。
【００３１】
前記直動ガイドレール３３は、図１０、図１１、図１２に示すように、床２に埋設する長尺の基部３５と、この基部３５の長さ方向両上側部に対向配置に一体形成した一対のコ状（又は逆コ状）のキャリッジガイド片部３６ａ、３６ｂと、を具備し、前記基部３５の上面と一対のキャリッジガイド片部３６ａ、３６ｂとで画される領域を前記キャリッジ６４用の直動ガイド凹溝３４としている。
【００３２】
前記キャリッジ６４は、図９、図１１、図１２に示すように、前記キャリッジガイド片部３６ａ、３６ｂにより両側部６４ａ１、６４ｂ１が挟み込まれる状態でスライド可能に嵌装される四角形平板状の走行基部６４ａと、この走行基部６４ａと一体で前記キャリッジガイド片部３６ａ、３６ｂの間に形成される開口部から上方に突出させる平坦突部６４ｂと、この平坦突部６４ｂ上において上方に突出するように設けた例えば２個のネジ受筒部６４ｃと、を具備している。
【００３３】
前記キャリッジ連結部材６５は、上部に大径円板部６６ａを有する連結筒体６６と、連結ネジ６７とを具備している。
【００３４】
そして、前記走行ローラ６３の近傍位置で台車ベース５１に設けた連結穴５１ｂに連結筒体６６を挿通し、その下部を前記ネジ受筒部６４ｃの外周部に嵌着固定するとともに、前記連結ネジ６７を前記鍔部６６ａの上側から連結筒体６６内に挿通しこの連結ネジ６７を前記ネジ受筒部６４ｃに設けたネジ部に螺着することにより、前記キャリッジ６４を前記走行ローラ６３の近傍位置で前記台車ベース５１に連結するように構成している。
【００３５】
前記直動ガイドレール３３の一対のコ状（又は逆コ状）のキャリッジガイド片部３６ａ、３６ｂにより、前記キャリッジ６４の走行基部６４ａ、従って連結筒体６６の傾きを防止しもさらには台車ベース５１及びその上部に設置する歯科診療ユニット２１の転倒防止機構を構成している。
【００３６】
すなわち、前記台車ベース５１、連結筒体６６が何らかの原因で傾こうとしても、この連結筒体６６と一体化された前記キャリッジ６４の走行基部６４ａの両側部６４ａ１、６４ｂ１の図１２に示す上面部Ｐ１、Ｐ２が前記直動ガイドレール３３の一対のキャリッジガイド片部３６ａ、３６ｂの内面上部に接触して位置規制され、これにより連結筒体６６の傾きが防止され、台車ベース５１及びその上部に設置する歯科診療ユニット２１の転倒が防止される。
【００３７】
次に、前記直動機構である直動レール３１を構成する直動ガイドレール３３、走行ローラ機構部６１の他例である直動機構部３３Ａ、走行ローラ機構部６１Ａについて図１３、図１４を参照して説明する。
【００３８】
尚、他例である直動機構部３３Ａ、走行ローラ機構部６１Ａにおいて、前記直動ガイドレール３３、走行ローラ機構部６１の場合と同一の要素には同一の符号を付して示す。
【００３９】
図１３に示す走行ローラ機構部６１Ａは、前記走行ローラ機構部６１と略同様な構成であるが、台車ベース５１をピニオンギア連結部材１０１を用いて直動機構部３３Ａと連結する構成を採用している。
【００４０】
前記直動機構部３３Ａは、床２に埋設状態で設けたラックギア１１１Ａと、丸棒状の連結体部１１２の上端に上部突出円板部１１３を、下部に下部突出円板部１１４及びピニオンギア軸支部１１５を具備するピニオンギア連結部材１０１と、前記ピニオンギア軸支部１１５により回転可能に軸支したピニオンギア１０２と、を具備している。
【００４１】
そして、前記台車ベース５１の連結穴５１ｂに連結体部１１２を挿通し、その下部の前記ピニオンギア１０２をラックギア１１１Ａに噛合させ、これにより、前記ピニオンギア１０２、ラックギア１１１ＡによるＺ軸方向(鉛直方向)に耐荷重がないラック・ピニオン構造で前記台車ベース５１を直動させるように構成している。
【００４２】
また、前記直動機構部３３Ａは、前記ピニオンギア連結部材１０１における下部突出円板部１１４に各端部下面が接するようにした転倒防止機構を構成する平坦な一対の転倒防止板１１６Ａ、１１６Ｂを設けている。
【００４３】
すなわち、前記台車ベース５１、ピニオンギア連結部材１０１が何らかの原因で傾こうとしても、ピニオンギア連結部材１０１の下部突出円板部１１４の上面部Ｐ３、Ｐ４が前記一対の転倒防止板１１６Ａ、１１６Ｂの下面に接触して位置規制され、これにより、ピニオンギア１０２の脱落防止が図れるとともに、ピニオンギア連結部材１０１の傾きが防止され、台車ベース５１及びその上部に設置する歯科診療ユニット２１の転倒が防止される。
【００４４】
次に、前記直動機構である直動レール３１を構成する直動ガイドレール３３、走行ローラ機構部６１のさらに別の例である直動ガイドレール３３Ｂ、走行ローラ機構部６１Ｂについて図１５乃至図１８を参照して説明する。
【００４５】
尚、別の例である直動ガイドレール３３Ｂ、走行ローラ機構部６１Ｂにおいて、前記直動ガイドレール３３、走行ローラ機構部６１の場合と同一の要素には同一の符号を付して示す。
【００４６】
図１５に示す走行ローラ機構部６１Ｂは、前記走行ローラ機構部６１と略同様な構成であるが、台車ベース５１を連結部材１２１を用いて直動ガイドレール３３Ｂと連結する構成を採用している。
【００４７】
前記直動ガイドレール３３Ｂは、図１５、図１８に示すように、床２にリニアスライドレール１３１を埋設状態で配置し、このリニアスライドレール１３１の上部を、連結部材１２１にて台車ベース５１の下面に連結されるキャリッジ１４１により覆う構造としたことが特徴である。
【００４８】
図１６に直動機構を構成するキャリッジ１４１の外観を、図１７にリニアスライドレール１３１の外観を示す。
【００４９】
さらに詳述すると、リニアスライドレール１３１は、長尺のレール本体１３２を具備し、このレール本体１３２の上面に接合平坦部１３３を設け、レール本体１３２の両側面に側面凹陥部１３４ａ、１３４ｂを設け、その下側を設置基部１３５としている。
【００５０】
一方、前記キャリッジ１４１は、略直方体状に形成したキャリッジ本体１４２を具備し、このキャリッジ本体１４２下面中央から内方にわたって前記リニアスライドレール１３１の側面凹陥部１３４ａ、１３４ｂから接合平坦部１３３にわたる領域を覆うようなスライド用凹部１４３を長さ方向に貫通する状態で設けている。
【００５１】
前記スライド用凹部１４３の上面側は前記リニアスライドレール１３１の接合平坦部１３３に接合するスライド接合面１４４とし、また、スライド用凹部１４３の開口部側の両端部には前記側面凹陥部１３４ａ、１３４ｂに各々係合するスライド係合部１４３ａ、１４３ｂを設けている。
【００５２】
前記キャリッジ１４１の上面には連結部材１２１用のネジ穴１４５を設けている。
【００５３】
前記連結部材１２１は、前記台車ベース５１の連結穴５１ｂに嵌め込む筒状のボス１２２と、このボス１２２に挿通しかつ前記ネジ穴１４５に螺着して台車ベース５１と前記キャリッジ１４１とを一体化するネジ１２３とにより構成している。
【００５４】
上述した側面凹陥部１３４ａ、１３４ｂと、スライド係合部１４３ａ、１４３ｂとにより既述した場合と同様な機能を発揮する転倒防止機構を構成している。
【００５５】
すなわち、前記台車ベース５１が何らかの原因で傾こうとしても、前記キャリッジ１４１のスライド係合部１４３ａ又は１４３ｂが、前記リニアスライドレール１３１の側面凹陥部１３４ａ又は１３４ｂにより位置規制され、これにより、台車ベース５１及びその上部に設置する歯科診療ユニット２１の転倒が防止される。
【００５６】
前記リニアスライドレール１３１の製品例としては、例えばＴＨＫ社のリニアスライドレール（ＳＨＳ−Ｃ）等の例を挙げることができる。
【００５７】
前記回転機構部４２は、図６、図７に示すように、台車ベース５１と回転ベース４１との間に配置され、台車ベース５１上で前記歯科診療ユニット２１を搭載した回転ベース４１を３６０度にわたって円滑に回転可能に支持するように構成している。
【００５８】
前記回転機構部４２としては、例えば、大阪ダイユー（株）製の型番ＭＲＢ−４５等の回転機構部を採用する例を挙げることができる。
【００５９】
前記直動・回転防止ストッパー機構部７１は。図６、図７、図１９に示すように、前記回転ベース４１の隅部に起立配置に設けられるとともに、回転ベース４１の隅部に起立配置したシャフト支持筒部７２と、このシャフト支持筒部７２により上下動可能に支持されその上端部側をシャフト支持筒部７２に設けた上部貫通穴７３を貫いて上方に突出させ、常時の下端部を回転ベース４１に設けた回転ベース穴４１ａ内に臨ませる例えば丸棒状で上端に踏板７４ａを備えるシャフト７４と、前記シャフト支持筒部７２の上面隅部に設けた固定ペダル支持部７５により一端側が回動可能に支持され、固定ペダル支持部７５の近傍位置で長穴状に形成したシャフト位置規制穴７７を貫通させ、他端側をシャフト支持筒部７２の側方に突出させた固定ペダル７６と、前記固定ペダル支持部７５の近傍位置でシャフト支持筒部７２の上面と固定ペダル７６の下面との間に配置され、前記固定ペダル７６を前記固定ペダル支持部７５を支軸として上方に付勢する例えば弾性ゴム等により形成した付勢用弾性体７８と、を具備している。
【００６０】
そして、常時においては、図１９（ａ）に示すように、前記付勢用弾性体７８により上方に付勢される固定ペダル７６のシャフト位置規制穴７７の内壁部を、前記シャフト７４の外周部に強制的に接触させてこのシャフト７４が下方に下がらないように位置するように構成している。
【００６１】
また、前記固定ペダル７６を付勢用弾性体７８の弾性に抗して足踏みすることで、前記シャフト７４の外周部に対するシャフト位置規制穴７７の内壁部の接触を解除し前記シャフト７４を下方に所望量シャフト移動し、この後、前記固定ペダル７６に対する足踏みを解除し付勢用弾性体７８の弾性により前記固定ペダル７６を元の位置に復帰させてシャフト移動後の前記シャフト７４の位置規制をすることで、前記シャフト７４を当初の位置から下方に下げた所望の位置にとどめることを可能としている。
【００６２】
このような直動・回転防止ストッパー機構部７１の構成によって、図１９（ｂ）に示すように、前記シャフト７４の先端を台車ベース５１に設けた台車ベース穴５１ａ内に臨ませて（台車ベース穴５１ａとのシャフト係合）、回転ベース４１の回転を確実に防止したり、図１９（ｃ）に示すように、前記台車ベース穴５１ａを貫通させたシャフト７４の先端を床面３の所定の位置に設けた床面穴３ａ内に臨ませて（床面穴３ａとのシャフト係合）、前記回転ベース４１の回転と前記台車ベース５１の直動を確実に防止したりすることを可能としている。
【００６３】
前記床面穴３ａを設ける床面３の所定の位置とは、基本的には、前記収納体４内における歯科診療ユニット２１の収納位置での前記直動・回転防止ストッパー機構部７１の直下位置、前記歯科診療ユニット２１の直動終了位置での前記直動・回転防止ストッパー機構部７１の直下位置等であるがこれらに限定されるものではない。
【００６４】
さらには、図１９（ｃ）に示す場合のように台車ベース穴５１ａを貫通させたシャフト７４の先端を床面３の所定の位置に設けた床面穴３ａ内に臨ませること以外に、図示しないが、床面穴３ａが存在しない位置において、シャフト７４の先端を床面３に摩擦接触させることにより、前記回転ベース４１の回転を防止しつつ前記台車ベース５１の直動を簡易的に防止することができる。
【００６５】
次に、図７及び図２０乃至図２５を参照して、前記直動防止ストッパー機構部８１について説明する。
【００６６】
前記直動防止ストッパー機構部８１は、図７及び図２０乃至図２３に示すように、前記台車ベース５１の一方の辺部の隅において台車ベース５１により固定支持された外観が２段円筒状で内部上側に大径孔８３ａを内部下側に小径孔８３ｂを同心に形成し両者の境界部に段部８３ｃを有する支持ベース８３と、前記支持ベース８３内において前記段部８３ｃ上に配置したコイルバネ状の第１弾性体８４と、この第１弾性体８４内に上下動可能に嵌装されるとともに、上部に円錐台状の受圧部８５ａを設け、下部に円柱部８５ｂを設け、前記第１弾性体８４により上方に付勢される受圧部８５ａを前記回転ベース４１に設けたプランジャー受穴４１ｂ内に臨ませ、前記円柱部８５ｂを前記小径孔８３ｂ内に臨ませたプランジャー８５と、前記支持ベース８３の下部に配置され、常時においては図１４に示すように下面側を前記床面３ａとの間に空間を有しつつ臨ませる円板状の押圧体８２と、前記小径孔８３ｂ内に上下動可能に嵌装されるとともに、上部側が前記円柱部８５ｂの外周部に嵌着され、下端部を押圧体８２の中央部に固着した有底円筒状のプランジャーガイド筒８６と、前記プランジャーガイド筒８６内において前記円柱部８５ｂの下面と、このプランジャーガイド筒８６の内底部との間に配置したコイルバネ状の第２弾性体８７と、を有している。
【００６７】
このような直動防止ストッパー機構部８１の構成により、前記回転ベース４１の回転操作に連動させて前記押圧体８２を床面３に押圧接触させて前記台車ベース５１の直動を停止させることができる。
【００６８】
すなわち、前記受圧部８５ａを前記回転ベース４１に設けたプランジャー受穴４１ｂ内に臨ませた図１４に示す位置から、前記回転ベース４１を例えば９０度回転させ（歯科診療ユニット２１を例えば９０度回転させ）、この回転ベース４１の下面で前記プランジャー８５の受圧部８５ａを下方に押し下げた位置に変位させることにより、前記プランジャー８５に作用する押し下げ力をプランジャーガイド筒８６、第２弾性体８７を介して前記押圧体８２に伝達し、この押圧体８２の下面を、図２５に示すように、床面３に押圧接触させることによって、前記回転ベース４１の回転操作に連動させて前記押圧体８２を床面３に押圧接触させ、これにより、前記回転ベース４１の回転操作に連動する前記押圧体８２と床面３との間の摩擦接触により前記台車ベース５１の直動を停止させることを可能としている。
【００６９】
図２６は本実施例に係る収納式歯科診療ユニット１における歯科診療ユニット２１の収納位置（図２に示す位置に対応）の状態を、図２７は本実施例に係る収納式歯科診療ユニット１における歯科診療ユニット２１の直動位置の状態を、図２８は本実施例に係る収納式歯科診療ユニット１における歯科診療ユニット２１の直動位置での回転状態（図３に示す位置に対応）を各々示すものである。
【００７０】
上述した本実施例では歯科診療ユニット２１が図４に示す診療位置以外（直動中、回転中等）においては歯科診療ユニット２１の少なくとも一部が作動しないように構成している。
【００７１】
すなわち、本実施例では、歯科診療ユニット２１が図４に示す診療位置で例えば患者用の背もたれ板２１ａが傾倒されたことを図示しないが例えばマイクロスイッチ等のセンサにより検出し、このセンサの検出信号を基に図示しない制御手段により前記歯科診療ユニット２１が診療位置に配置されたとき、前記歯科診療ユニット２１を構成する単体、又は、前記各単体のいずれかの組み合わせからなる要素、例えば、前記歯科診療椅子、診療用無影灯１１、ディスプレイ１２、スピットン１３、アシスタントハンガ１４、ドクターカート１５等を作動可能とし、前記センサの検出信号が無いときには前記各要素が作動しないように制御する構成として、必要時以外の前記各要素の作動を停止し安全性の向上を図っている。
【００７２】
次に、図２９乃至図３２を参照して、床２に対する直動レール３１の設置工程について説明する。
【００７３】
まず、図２９に示すように、床２の所定の位置においてトリマー加工機９１にストレートビット９２を取り付け、このトリマー加工機９１を作動させて床２に溝加工を実施し、床２に図３０に示すような所定の長さを有する敷設溝９３を二条平行配置に形成する。
【００７４】
次に、図３１に示すように二条の敷設溝９３内に各々予めキャリッジ６４をスライド可能に配置している直動ガイドレール３３、３３を敷設する。
【００７５】
次に、図３２に示すように、二本の直動ガイドレール３３、３３に各々添設するようにして走行レール３２、３２を配置しこれらを床面３上にネジ等により固定する。
【００７６】
以上の一連の工程により、本実施例における直動レール３１、３１の設置工程が終了する。この後、前記直動レール３１、３１上に台車ベース５１、回転ベース４１、歯科診療ユニット２１等を組み込むものである。
【００７７】
これにより、床２に設置する直動機構を構成する直動ガイドレール３３を、床２のトリマー加工による敷設溝９３の加工により施工するものであるから、低廉な施工コストの基に前記直動レール３１を床面３に敷設し、その後、台車ベース５１、回転機構部４２、回転ベース４１、歯科診療ユニット２１等を組み込む収納式歯科診療ユニット１の設置方法を実現できる。
【００７８】
前記トリマー加工機９１、ストレートビット９２としては、例えば、リョービ（株）製の型番ＴＲ−５１のトリマー加工機及び対応するストレートビットを採用する例を挙げることができる。
【００７９】
尚、上述した図２９乃至図３２においては、トリマー加工により床２に敷設溝９３を形成する場合について説明したが、例えば床２が二枚板構造である場合、下段の板張りをした後その上面に敷く上段の板の形状を前記敷設溝９３に相当するような長溝形状を有するように組み合わせ、このような上段の板を下段の板張り上に敷設することで、トリマー加工機によるトリマー加工を施すことなく、二枚板構造で直動ガイドレール３３を敷設し、さらには走行レール３２を敷設した直動レール３１を施工することができる。
【００８０】
また、上述した実施例では、前記直動機構は直動レール３１を二本一対で平行配置する構成とする例を示したが、この他、ガタ付きの少ない幅広のレールや、軸と軸受とを組み合わせて構成した直動機構等を採用し、直動機構をレール一本構成とすることも可能である。
【００８１】
以上説明した本実施例によれば、不使用時においては、歯科診療椅子を含む歯科診療ユニット２１を収納体４内に収納して不使用時の省スペース化を図ることができ、また、使用時においては歯科診療椅子を含む歯科診療ユニット２１を簡略容易に所定の位置に配置することができて使用時における歯科診療ユニット２１の利便性の向上を実現できる収納式歯科診療ユニット１を提供することができる。
【００８２】
本実施例における直動・回転防止ストッパー機構部７１によれば、歯科診療ユニット２１が所望の位置に存在する状態で、簡略操作の基に回転ベース４１の回転を確実に防止したり、回転ベース４１の回転と台車ベース５１の直動とを同時に確実に防止したり、さらには、床面穴３ａが存在しない位置において、シャフト７４の先端を床面３に摩擦接触させることにより、回転ベース４１の回転を防止しつつ台車ベース５１の直動を簡易的に防止したりすることができ、診療位置又は収納位置において歯科診療ユニット２１が誤って移動することが無くなり、安心して診療を行ったり、安定した状態で歯科診療ユニット２１を収納保管したりすることができる。
【００８３】
また、診療位置や収納位置とは別のカウンセリング位置や任意の位置で歯科診療ユニット２１を固定することもできる。
【００８４】
本実施例における直動防止ストッパー機構部８１によれば、簡略安価な構造の基に前記回転ベース４１の回転操作に連動させて前記押圧体８２を床面３に押圧接触させて前記台車ベース５１の直動を停止させることができ、これにより、歯科診療ユニット２１を押しながら直動動作させる場合に、誤って歯科診療ユニット２１が回転してしまい操作者が振り回されたり、周囲の装置等にぶつかったりするという不都合、かつ、危険な事態発生を未然に回避することができる。
【００８５】
本実施例において、前記走行レール３２と、キャリッジ６４を備える直動ガイドレール３３とを有する直動レール３１によれば、走行ローラ６３を取り付けた台車ベース５１、さらには、その上部の回転ベース４１、歯科診療ユニット２１を安定してかつ真っすぐに直動させることが可能となる。
【００８６】
本実施例において、収納体４は、その下面を前記直動レール３１の端部に対向させて床面３から起立設置するとともに、その内部に歯科診療椅子を含む歯科診療ユニット２１を省スペースの態様で収納可能であり、かつ、必要時には開閉扉６を開け、歯科診療ユニット２１を直動レール３１上で容易に前方に移送したり、歯科診療ユニット２１における所要の単体等を所定の位置に展開したりすることができ、不使用時の省スペース化を図りつつ使用時における歯科診療の利便性の向上を実現することができる。
【００８７】
本実施例によれば、前記歯科診療ユニット２１を図４に示す診療位置としたときのみ歯科診療ユニット２１を構成する要素のうち少なくとも一部の要素を作動可能とし、それ以外では作動停止とするように構成しているので、歯科診療における安全性確保を実現することができる収納式歯科診療ユニット１を提供することができる。
【００８８】
また、本実施例によれば、トリマー加工による直動ガイドレール３３用の敷設溝９３の形成を含む前記直動レール３１の床２に対する設置工程を採用することによって、低廉な施工コストの基に歯科診療室の既存の床２等に収納式歯科診療ユニット１自体を設置できる設置方法を提供することができる。
【産業上の利用可能性】
【００８９】
本発明は、例えば病院、医院、診療所等における診療室内での診療機器の収納、必要に応じての所定位置への移動配置を簡略容易とし、診療室内スペースの有効利用を図る等の用途に応用可能である。
【符号の説明】
【００９０】
１    収納式歯科診療ユニット
２    床
３    床面
３ａ  床面穴
４    収納体
５    収納体本体
６    開閉扉
７    ローラキャスタ
８    上部蓋
９    閉塞蓋
１１    診療用無影灯
１２    ディスプレイ
１３    スピットン
１４    アシスタントハンガ
１５    ドクターカート
１６    ドクターチェア
２１    歯科診療ユニット
２２    フットコントローラ
３１    直動レール
３２    走行レール
３３    直動ガイドレール
３３Ａ  直動機構部
３３Ｂ  直動ガイドレール
３４    直動ガイド凹溝
３５    基部
３６ａ  キャリッジガイド片部
３６ｂ  キャリッジガイド片部
４１    回転ベース
４１ａ  回転ベース穴
４１ｂ  プランジャー受穴
４２    回転機構部
５１    台車ベース
５１ａ  台車ベース穴
６１    走行ローラ機構部
６１Ａ  走行ローラ機構部
６１Ｂ  走行ローラ機構部
６２    支持軸
６２ａ  支持ネジ
６３    走行ローラ
６４    キャリッジ
６４ａ  走行基部
６４ａ１側部
６４ｂ１側部
６４ｂ  平坦突部
６４ｃ  ネジ受筒部
６５    キャリッジ連結部材
６６    連結筒体
６６ａ  大径円板部
６７    連結ネジ
７１    直動・回転防止ストッパー機構部
７２    シャフト支持筒部
７３    上部貫通穴
７４    シャフト
７４ａ  踏板
７５    固定ペダル支持部
７６    固定ペダル
７７    シャフト位置規制穴
７８    付勢用弾性体
８１    直動防止ストッパー機構部
８２    押圧体
８３    支持ベース
８３ａ  大径孔
８３ｂ  小径孔
８３ｃ  段部
８４    第１弾性体
８５    プランジャー
８５ａ  受圧部
８５ｂ  円柱部
８６    プランジャーガイド筒
８７    第２弾性体  
９１    トリマー加工機
９２    ストレートビット
９３    敷設溝
１０１    ピニオンギア連結部材
１０２    ピニオンギア
１１１Ａ  ラックギア
１１２    連結体部
１１３    上部突出円板部
１１４    下部突出円板部
１１５    ピニオンギア軸支部
１２１    連結部材
１２２    ボス
１２３    ネジ
１３１    リニアスライドレール
１３２    レール本体
１３３    接合平坦部
１３４ａ  側面凹陥部
１３４ｂ  側面凹陥部
１３５    設置基部
１４１    キャリッジ
１４２    キャリッジ本体
１４３    スライド用凹部
１４３ａ  スライド係合部
１４３ｂ  スライド係合部
１４４    スライド接合面
１４５    ネジ穴
【図１】
2018114011.tif 000003
【図２】
2018114011.tif 000004
【図３】
2018114011.tif 000005
【図４】
2018114011.tif 000006
【図５】
2018114011.tif 000007
【図６】
2018114011.tif 000008
【図７】
2018114011.tif 000009
【図８】
2018114011.tif 000010
【図９】
2018114011.tif 000011
【図１０】
2018114011.tif 000012
【図１１】
2018114011.tif 000013
【図１２】
2018114011.tif 000014
【図１３】
2018114011.tif 000015
【図１４】
2018114011.tif 000016
【図１５】
2018114011.tif 000017
【図１６】
2018114011.tif 000018
【図１７】
2018114011.tif 000019
【図１８】
2018114011.tif 000020
【図１９】
2018114011.tif 000021
【図２０】
2018114011.tif 000022
【図２１】
2018114011.tif 000023
【図２２】
2018114011.tif 000024
【図２３】
2018114011.tif 000025
【図２４】
2018114011.tif 000026
【図２５】
2018114011.tif 000027
【図２６】
2018114011.tif 000028
【図２７】
2018114011.tif 000029
【図２８】
2018114011.tif 000030
【図２９】
2018114011.tif 000031
【図３０】
2018114011.tif 000032
【図３１】
2018114011.tif 000033
【図３２】
2018114011.tif 000034